(57)【特許請求の範囲】
【請求項１】
下式（I）からなる、遷移金属化合物であって、
【化１】
0003964948.tif 000015
ここで、Ｍは、元素周期律表のIVｂ族の金属原子であり、
ｎは２であり、
Ｌは、同一または異なり、非置換シクロペンタジエニル基又は１個以上のＣ１−Ｃ３０−炭化水素基を有する置換シクロペンタジエニル基であり、ここで、２つの基Ｌが、結合基Ｚにより、お互いに結合可能なものであって、
当該Ｚが、ＣＲ２Ｒ３もしくはＳｉＲ２Ｒ３、またはＳｉ−（ＣＲ２Ｒ３）ｘ−Ｓｉユニットであって、２つの基Ｌｎ（ＸｍＡｔＲ１ｑ）ｓＭＹｒを、お互いに結合しているものであり、ここで、Ｒ２とＲ３は、同一または異なり、各々、Ｃ１−Ｃ２０−炭化水素基であって、ｘは、０〜１０の整数であり、好適にはｘは６であり、
Ｙは、同一または異なり、各々モノデンテート（単座）またはビデンテート（二座）の、飽和または不飽和の３〜６員の炭素数を有する基であって、Ｃ１−Ｃ１０−アルキル基、Ｃ６−Ｃ２０−アリール基またはトリ（Ｃ１−Ｃ１０−アルキル基）シリル基により置換可能な基であり、
ｒが１あるいは２であり、基Ｌの少なくとも１つは少なくとも１つの基ＸｍＡｔＲ１ｑを有し、ここで、
ＸはＣ１−Ｃ２０−炭化水素基であり、ここで、ｍは０または１であり、
Ａはボロンであり、ｔは１であり、
Ｒ１は、同一または異なり、各々過ハロゲン化Ｃ１−Ｃ２０−ハロゲン化アルキルまたは過ハロゲン化Ｃ６−Ｃ２０−ハロゲン化アリール基であり、
ｑは２、３または４であり、
ｓは１または２である、前記遷移金属化合物。
【請求項２】
前記Ｍがチタン、ジルコニウムまたはハフニウムである、請求項１に記載の、式（I）からなる遷移金属化合物。
【請求項３】
前記Ｌが、同一または異なり、５員環上にＣ１−Ｃ１０−炭化水素基を有し、６員環は非置換か１つ以上のＣ１−Ｃ２０−炭化水素基を有するインデニル誘導体であり、ここで、Ｃ１−Ｃ２０−炭化水素基の２つ以上が環を形成することができる、請求項１に記載の、式（I）からなる遷移金属化合物。
【請求項４】
前記２つの基Ｌが、お互いに、結合基Ｚにより結合されている、請求項１または２に記載の、式（I）からなる遷移金属化合物。
【請求項５】
前記Ｘが、飽和または不飽和の、直線状、環状、あるいは分枝状であり、各々、Ｃ１−Ｃ２０−アルキレン基、Ｃ６−Ｃ２０−アリーレン基、Ｃ２−Ｃ２０−アルケニレン基、Ｃ７−Ｃ４０−アリールアルキレン基、Ｃ７−Ｃ４０−アルキルアリーレン基またはＣ−８−Ｃ４０−アリールアルケニレン基であり、それぞれが、シリコン、ゲルマニウムまたはスズを含むことができる、請求項１〜３のいずれか１項に記載の、式（I）からなる、遷移金属化合物。
【請求項６】
前記Ｒ１が、飽和または不飽和の、直線状、環状、あるいは分枝状であり、各々、Ｃ１−Ｃ２０−アルキル基、Ｃ１−Ｃ２０−ハロゲン化アルキル基、Ｃ６−Ｃ２０−アリール基、Ｃ６−Ｃ２０−ハロゲン化アリール基、Ｃ２−Ｃ２０−アルケニル基、Ｃ７−Ｃ４０−アリールアルキル基、Ｃ７−Ｃ４０−アルキルアリール基、またはＣ８−Ｃ４０−アリールアルケニル基である、請求項１〜４のいずれか１項に記載の、式（I）からなる、遷移金属化合物。
【請求項７】
前記Ａが、元素周期律表のIIIａ族の元素である、請求項１〜５のいずれか１項に記載の、式（I）からなる、遷移金属化合物。
【請求項８】
前記Ｍがジルコニウムであり、
前記Ｌが、結合基Ｚにより、お互いに結合されており、
当該Ｚが、ＣＲ２Ｒ３もしくはＳｉＲ２Ｒ３であり、ここで、Ｒ２とＲ３は、同一または異なり、各々、Ｃ１−Ｃ１０−アルキル基またはＣ６−Ｃ１０−アリール基であり、
前記Ｙは、モノデンテート（単座）の、不飽和のＣ５−炭化水素基であって、Ｃ１−Ｃ１０の基により置換可能な基であり、ｒが１であり、
ｍが０であり、
前記Ｒ１は、同一または異なり、各々ペンタフルオロフェニル基（Ｃ６Ｆ５）であり、そして
ｑは３であり、ｓが１または２である、
請求項１〜６のいずれか１項に記載の、式（I）からなる、遷移金属化合物。
【発明の詳細な説明】
【０００１】
【発明の属する技術分野】
本発明は、オレフィンの重合に好適に使用できる遷移金属化合物に関する。当該遷移金属化合物は、アルミノオキサンのような、共触媒の使用を不要とすることができるものである。
【０００２】
【従来の技術】
メタロセン触媒としてのチーグラーナッタ重合触媒における、式Ｒ3Ｍ+（Ｍ＝Ｔｉ、Ｚｒ、Ｈｆ）のカチオン性の１４電子の役割が一般に知られている。（Ｍ．Ｂｏｃｈｍａｎ，Ｎａｎｃｈｒ．Ｃｈｅｍ．Ｌａｂ．Ｔｅｃｈｎ．１９９３，４１，１２２０参照）
【０００３】
現在最も有効な触媒である、メチルアルミノオキサン（ＭＡＯ）が、頻繁に使用されているものの、式Ｒ3Ｍ+（Ｍ＝Ｔｉ、Ｚｒ、Ｈｆ）で表される、カチオン性のアルキル錯体の合成により、ある程度の触媒活性を示すものとして、ＭＡＯを触媒として使用しない道を開いている。
【０００４】
カチオン性のアルキル錯体は、以下の方法により作成される。
【０００５】
ａ）メタロセン−アルキル錯体を、例えば、ＡｇＢＰｈ4あるいは［Ｃｐ2Ｆｅ］［ＢＰｈ4］を用いて、酸化する。
【０００６】
ｂ）例えば、大変安定で、非酸のテトラ（ペンタフルオロフェニル）ボレートアニオン（すなわち、［ＰｈＭｅ2ＮＨ］+［Ｂ（Ｃ6Ｆ5）4］-）の弱酸のアンモニウム塩を用いて、メタロセン−アルキル錯体を、プロトリシスする。
【０００７】
ｃ）あるいは、強酸である、ルイス酸を用いて、メタロセン−アルキル化合物から、アルキル基の抽出により作成する。ここで使用可能なルイス酸は、（Ｐｈ3Ｃ+ＢＲ4-）の塩あるいはＢ（Ｃ6Ｆ5）3のような強い、非帯電のルイス酸である。
【０００８】
Ｊ．オルガノメット（Ｏｒｇａｎｏｍｅｔ），Ｃｈｅｍ．１９７０，２２，６５９には、（ＣＨ3）5ＣｐＴｉ（ＣＨ3）3とトリフェニルボランあるいはトリベンジルボランとの反応を開示している。
【０００９】
Ｊ．Ａｍ．Ｃｈｅｍ．Ｓｏｃ．１９９１，１１３，３６２３には、“カチオンのような”メタロセン重合触媒の合成法を開示しており、トリス（ペンタフルオロフェニル）ボロンを用いて、メタロセン−アルキル化合物から、アルキル抽出することにより作られている。［１，２−（ＣＨ3）2Ｃ5Ｈ3］2ＺｒＣＨ3］+［ＣＨ3Ｂ（Ｃ6Ｆ5）3］-の結晶構造は、金属中心において、ボレートアニオンのＣＨ3基と弱く配位して、塩のような構造を示している。
【００１０】
ＥＰ  ４２７，６９７号公報のクレームには、当該合成理論および帯電されていないメタロセン種（例えば、Ｃｐ2Ｚｒ（ＣＨ3）2）やルイス酸（例えば、Ｂ（Ｃ6Ｆ5）3）並びにアルミニウムアルキルを含む、当該合成理論に相当する触媒システムが記載されている。また、ＥＰ  ５２０，７３２号公報のクレームには、上述した合成理論に基づいた式ＬＭＸ+ＸＡ-の塩を作る方法を記載請求している。
【００１１】
これらの、酸−塩基アダクトタイプのほかに、双性イオンのシステムもまた、考えられている。
【００１２】
ＥＰ  ５５８，１５８号公報には、双性イオンの触媒システムをクレームに記載しており、メタロセン−アルキル化合物および式［Ｒ3ＮＨ］+［ＢＰｈ4］-からなる塩から作られている。このような塩と、（（ＣＨ3）5Ｃｐ）2Ｚｒ（ＣＨ3）2の反応において、プロトリシスが起こり、メタンを排出し、中間体であるメチルジルコノセンのカチオンを作り、さらに当該カチオンが、テトラフェニルボレートの炭素−水素結合のＣ−Ｈ活性化により、反応して、メタンをさらに排出し、双性イオン（（ＣＨ3）5Ｃｐ）2Ｚｒ+−（ｍ−Ｃ6Ｈ4）−Ｂ-Ｐｈ3を生成するものである。Ｚｒ原子は、ここで、フェニル環の炭素原子に共有結合しており、アゴステイック（ａｇｏｓｔｉｃ）な水素結合を介して、安定化されている。当該反応理論に基づく、メタロセン−アルカリ種と過フッ素の［Ｒ3ＮＨ］+［Ｂ（Ｃ6Ｆ5）4］-の塩とのプロトリシスにより、第一段階として、カチオン性の種を生成させるが、続く反応（Ｃ−Ｈ活性化反応）により、双性イオンの錯体（すなわち、金属原子が、“前の”アニオンに共有結合している）を作ることは不可能である。この反応において、メタロセンＣｐ2ＭＲ2は、アルカリ基Ｒが、お互いに環状に結合しており、例えば、Ｃｐ2Ｚｒ（２，３−ジメチル−１，３−ブタジエン）が使用される。この反応は、［Ｃｐ2Ｚｒ−Ｒ−ＲＨ］+［Ｂ（Ｃ6Ｆ5）4］-の塩を、プロトノリシスの後、生成する。
【００１３】
ＵＳ  ５，１９８，４０１号公報は、過フッ素化されたテトラフェニルボレートアニオンを含む、ジメチルアニリニウムを使用する、相当する系について、クレームに記載している。ここで使用される、メタロセンＣｐ2ＭＲ2は、アルキル基Ｒが、お互いに環状に結合しており、例えば、Ｃｐ2Ｚｒ（２，３−ジメチル−１，３−ブタジエン）である。これを用いた反応により、［Ｃｐ2Ｚｒ−Ｒ−ＲＨ］+［Ｂ（Ｃ6Ｆ5）4］-の塩を、プロトリシスの後、生成する。ＥＰ  ２７７，００３号公報、ＥＰ  ２７７，００４号公報、ＥＰ  ４９５，３７５号公報およびＷＯ９１／１４７１３号公報には、それぞれ、同様のプロセス理論に基づくシステムを請求している。
【００１４】
Ｃｈｅｍ．Ｂｅｒ．１９９４，１２７，１６１３には、アルキルジクロロボロンを、ビス（η5−Ｃｐ）ジハイドリドタングステンに添加することを記載しているが、同様に、双性イオン化合物を生成させるものである。
【００１５】
式［Ｒ3Ｍ］+［ＢＲ4］-（Ｍ＝Ｔｉ、Ｚｒ、Ｈｆ）のカチオン性のシステムを作るプロセスは、カチオン生成剤（Ｒ3ＮＨ+ＢＲ4-）が、時に、重合して複合化しやすく、また高価であるという問題がある。
【００１６】
加えて、プロトリシスの後、アンモニウム塩から、アミンＲ3Ｎが生成するという問題がある。なんとならば、このアミンＲ3Ｎは、金属中心が立体的に束縛されていない場合には、強いルイス酸のＲ3Ｍ+カチオンと配位して（ＵＳＰ  ５，１９８，４０１号公報参照）、重合活性を低下させやすいのである。
【００１７】
また、Ｃｐ2Ｚｒ+−ｍ−Ｃ6Ｈ4Ｂ-Ｐｈ3の構造の双性イオンの錯体は、出発化合物が高価で、合成が複雑で、さらには、重合活性が低いという問題がある。
【００１８】
［Ｃｐ2ＭＲ］+［ＲＢ（Ｃ6Ｆ5）3］-の構造のカチオン系は、塩としての特性のため、加水分解しやすく、限られた範囲の工業スケールでしか使用することができないという問題がある。
【００１９】
【発明が解決する課題】
本発明は、従来技術の欠点を解消した有機金属化合物を提供することである。
【００２０】
【課題を解決するための手段】
すなわち、当該課題は、特別な遷移金属化合物により達成できることを見いだし、本発明を完成さたものである。すなわち、本発明は、下式（１）からなる、遷移金属化合物であって、
【化１１】
0003964948.tif 000002
ここで、Ｍは、元素周期律表のIIIｂ、IVｂ、VｂまたはVIｂ族の金属原子であり、Ｌは、同一または異なる場合もある、π配位子または電子供与体であって、ｎは、１、２、３または４であり、
Ｙは、同一または異なる場合もある、水素原子、ハロゲン原子またはＩ座（Ｉ−デンテート）の、炭素数１〜４０の官能基であって、Ｉは１、２、３または４であり、ｒは、０、１、２、３、４または５であり、
そして、Ｌ基の少なくともひとつが、少なくとも一つの基［ＸmＡtＲ1q］を含んでおり、
ここで、Ｘは、同一または異なる場合もある、ヘテロ原子または炭素数１〜４０の官能基であって、ｍは、０または１であり、
Ａは、元素周期律表のIIIａ、VａまたはVIａ族の原子であって、ｔは１であり、Ｒ１は、同一または異なる場合もある、炭素数１〜４０の官能基であって、ｑは、１、２、３、４または５であり、ｓは、１〜２０の整数である。
【００２１】
また、二つの基Ｌが、お互いに、結合基Ｚにより、結合可能であることが好適である。
【００２２】
ここで、π配位子は、好適には、それぞれ同一または異なる場合もある、非置換または置換されたシクロペンタジエニル基であり、基として、より好適には、一つまたは二つ以上の、炭素数１〜３０の炭化水素基を有しており、例えば、２−メチルシクロペンタジエニル、メチル−ターシャリー−ブチルシクロペンタジエニル、ターシャリー−ブチルシクロペンタジエニル、イソプロピルシクロペンタジエニル、ジメチルシクロペンタジエニル、トリメチルエチルシクロペンタジエニル、５−フェニルシクロペンタジエニル、ジフェニルシクロペンタジエニル、インデニル、２−メチルインデニル、２−エチルインデニル、３−メチルインデニル、３−ターシャリー−ブチルインデニル、２−メチル−４−フェニルインデニル、２−エチル−４−フェニルインデニル、２−メチル−４−ナフチルインデニル、２−メチル−４−イソプロピルインデニル、ベンゾインデニル、２−メチル−４，５−ベンゾインデニル、２−メチル−α−アセナフトインデニル、２−メチル−４，６−ジイソプロピルインデニル、フルオレニル、４−メチルフルオレニルあるいは、２，７−ジ−ターシャリー−ブチルフルオレニルである。
【００２３】
特に、好適には、インデニル誘導体として与えられるものである。そして、インデニル誘導体は、好適には、炭素数１〜１０の炭化水素基を有しており、例えば、５員環に連なる、炭素数１〜１０のアルキル基を、最適には２位に有しており、６員環の場合には、炭素数１〜２０の炭化水素基を有しており、例えば炭素数１〜１０のアルキル基、炭素数６〜２０のアリール基（すなわち、フェニルあるいはナフチル）あるいは、二つ以上の炭素数１〜２０の炭化水素基が環構造を有しているものである。
【００２４】
本発明の目的のために、電子供与体としては、元素周期律表のIVａ、Vａ、VIａまたはVIIの原子が好適であるが、炭素数１〜３０の炭化水素基で置換することができ、具体的に、炭素数１〜２０のアルキル基や炭素数６〜１４のアリール基で置換可能である。また、さらに好適なものとしては、Ｏ、ＮＲ42、ＮＲ4、ＮＲ43、ＰＲ42、ＰＲ4、ＰＲ43、Ｓ、Ｐ（ＯＲ4）2、Ｐ（ＯＲ4）、Ｒ4あるいは、Ｃｌであり、ここで、Ｒ4は、炭素数１〜２０のアルキル基や炭素数６〜１４のアリール基等の、炭素数１〜３０の炭化水素基である。
【００２５】
好適な結合基Ｚとしては、
【化１２】
0003964948.tif 000003
【化１３】
0003964948.tif 000004
【化１４】
0003964948.tif 000005
【化１５】
0003964948.tif 000006
【化１６】
0003964948.tif 000007
【化１７】
0003964948.tif 000008
【化１８】
0003964948.tif 000009
【化１９】
0003964948.tif 000010
【化２０】
0003964948.tif 000011
または、−ＢＲ２−、−ＡｌＲ２−、−Ｇｅ−、−Ｏ−、−Ｓ−、−ＳＯ−、−ＳＯ２−、−ＮＲ２−、−ＣＯ−、−ＰＲ２−および−Ｐ（Ｏ）Ｒ２−のうちから選択され、
ここで、Ｒ２およびＲ３は、お互いに同一または異なる場合もある、水素原子、ハロゲン原子または炭素数１〜４０の官能基であり、例えば、炭素数１〜２０のアルキル基、炭素数１〜１０のフルオロアルキル基、炭素数１〜１０のアルコキシ基、炭素数６〜１４のアリール基、炭素数６〜１０のフルオロアリール基、炭素数６〜１０のアリーロキシ基、炭素数２〜１０のアルケニル基、炭素数７〜４０のアリールアルキル基、炭素数７〜４０のアルキルアリール基、炭素数８〜４０のアリールアルケニル基であり、
あるいはＲ２およびＲ３がお互いに、原子により結合し、一つ以上の環構造を作り、Ｒ２または／およびＲ３は、基Ｌに結合することが可能であり、
ｘは、０〜１８の整数であり、好適には、１または２であり、
Ｍ２は、シリコン、ゲルマニウム、またはスズであり、
Ｚはまた、二つの基Ｌn（ＸmＡtＲ1q）sＭＹrをお互いに結合することも可能である。
【００２６】
本発明の目的のために、ヘテロ原子としては、炭素または水素以外の元素周期律表のいずれの原子でも好適である。好適なものとしては、シリコン、ゲルマニウム、スズである。
【００２７】
炭素数１〜４０のＹ基は、飽和または不飽和の、直線状、環状、あるいは分枝を有する、炭素数１〜２０のアルキル基、炭素数１〜２０のハロゲン化アルキル基、炭素数６〜２０のアリール基、炭素数６〜２０のハロゲン化アリール基、炭素数２〜４０のアルケニル基、炭素数７〜４０のアリールアルキル基、炭素数７〜４０のアルキルアリール基、炭素数８〜４０のアリールアルケニル基であり、そして、それぞれが、シリコン、ゲルマニウム、スズ、酸素、窒素、硫黄、またはリンを含むことが可能であり、すなわち、トリ（炭素数１〜１０のアルキル）シリル−炭素数１〜２０のアルキル基あるいは、キレート配位子である、アセチルアセトネートやビピリジルである。
【００２８】
もし、Ｙ基が、炭素数１〜４０の官能基であれば、金属原子Ｍに、共有結合し、金属原子Ｍとともに、金属環構造を形成することになり、そして、もしＹ基が、不飽和の炭素数１〜４０の官能基であれば、Ｙ基のπ電子が、金属原子Ｍに配位することができる。
【００２９】
炭素数１〜４０の官能基のＹ基のモノデンテート（単座）の例としては、炭素数１〜２０のアルキル基、炭素数２〜２０のアルケニル基、炭素数６〜２０のアリール基である。炭素数１〜４０のＹ基のビデンテート（二座）の例としては、炭素数２〜４０のアルキニレン基、アセチルアセトネートあるいはビピリジルである。
【００３０】
炭素数１〜４０の官能基のＸ基としては、飽和または不飽和の、直線状、環状、あるいは分枝を有する、炭素数１〜２０のアルキレン基、炭素数６〜２０のアリーレン基、炭素数２〜２０のアルキニレン基、炭素数７〜４０のアリールアルキレン基、炭素数７〜４０のアルキルアリーレン基、炭素数８〜４０のアリールアルキニレン基であり、それぞれが、シリコン、ゲルマニウムまたはスズを含むことが可能であり、すなわち、トリ（炭素数１〜１０のアルキル）シリル−炭素数１〜２０のアルキレン基である。そして、Ｘ基は、原子Ａを介して、Ｌ基に結合され、好適には、ビデンテート（二座）の基である。
【００３１】
炭素数１〜４０のＲ１基は、飽和または不飽和の、直線状、環状、あるいは分枝を有する、炭素数１〜２０のアルキル基、炭素数１〜２０のハロゲン化アルキル基、炭素数６〜２０のアリール基、炭素数６〜２０のハロゲン化アリール基、炭素数２〜２０のアルケニル基、炭素数７〜４０のアリールアルキル基、炭素数７〜４０のアルキルアリール基、炭素数８〜４０のアリールアルケニル基である。そして、Ｒ１基は、原子Ａの置換であってもよい。また、Ｒ１基は、二つ以上であって、お互いに結合して、環状構造を有するものであってもよい。さらに、好適には、Ｒ１基は、ハロゲンを含んでおり、最適には、フッ素原子を含み、すなわち、炭素数１〜２０のハロゲン化アルキル基あるいは炭素数６〜２０のハロゲン化アリール基であり、ハロゲン原子を介して、金属原子Ｍと配位することが可能である。
【００３２】
Ｍが、元素周期律表のIV族の金属原子である時は、ｎが２、ｒが１または２であることが好適であり、もし、ＹがＩ−デンテート（Ｉ座）の炭素数１〜４０の基であるときは、Ｉは、１または２が好適である。
【００３３】
式（I）の化合物において、さらに好適な態様は、
Ｍは、元素周期律表のIVｂ族の元素であり、例えば、チタン、ジルコニウム、ハウニウムであり、
ｎは、２であり、
Ｌは、同一または異なる場合もある、飽和または不飽和の、シクロペンタジエニル基であって、２つの基Ｌが、結合基Ｚにより、お互いに結合可能なものであって、当該結合基Ｚが、ＣＲ２Ｒ３、ＳｉＲ２Ｒ３、またはＳｉ−（ＣＲ２Ｒ３）ｘ−Ｓｉユニットであって、２つの基Ｌｎ（ＸｍＡｔＲ１ｑ）ｓＭＹｒをお互いに結合するものであり、ここで、Ｒ２とＲ３は、同一または異なる場合もある、例えば炭素数１〜１０のアルキル基または炭素数６〜１０のアリール基等からなる、炭素数１〜２０の炭化水素基であって、ｘは、０〜１０の整数であり、好適にはｘは６であり、
Ｙは、同一または異なる場合もある、モノデンテート（単座）またはビデンテート（二座）の、飽和または不飽和の３〜６員の炭素数を有する基であって、例えば炭素数１〜１０のアルキル基、炭素数６〜２０のアリール基あるいは、トリ（炭素数１〜１０のアルキル）シリルからなる、炭素数１〜４０の官能基により置換可能な基であり、ｒが１あるいは２であり、
Ｘは、炭素数１〜２０の炭化水素基であって、ここで、ｍは０あるいは１であり、Ａは、元素周期律表のIIIａ、VａまたはVIａの金属原子であって、ｔは１であり、Ｒ１は、同一または異なる場合もある、過ハロゲン化された、より好適には、過フッ素化された、炭素数１〜２０の基であって、例えば、炭素数１〜１０の過フッ素化アルキル基あるいは、炭素数６〜２０の過フッ素化アリール基であり、
そして、ｑは、２、３または４およびｓは１、２、３または４である。
【００３４】
金属原子ＭとともにＹは、金属環を形成することができるが、もしＹが、不飽和の３〜６員の炭素数を有する基の場合には、π電子が金属原子Ｍと配位結合をすることが可能である。そして、基Ｒ１は、ハロゲン原子を介して、金属原子Ｍと配位結合をすることが可能である。
【００３５】
さらに、本発明における、式（I）の遷移金属化合物において、さらに最適な態様は、
Ｍはジルコニウムであり、
ｎは２であり、
Ｌは、同一または異なる場合もある、置換されたシクロペンタジエニル基であって、２つの基Ｌが、結合基Ｚにより、お互いに結合されており、
当該Ｚが、好適には、ＣＲ２Ｒ３またはＳｉＲ２Ｒ３であり、ここで、Ｒ２とＲ３は、同一または異なる場合もある、炭素数１〜１０のアルキル基または炭素数６〜１０のアリール基であり、
Ｙは、不飽和のモノデンテート（単座）の、炭素数５の炭化水素基であって、炭素数１〜１０のアルキル基により置換可能な基であり、ｒが１であり、
ｍは０であり、Ａは、元素周期律表のIIIａ原子であって、ボロンまたはアルミニウム原子であって、ｔは１であり、
Ｒ１は、同一のペンタフルオロフェニル（Ｃ６Ｆ５）基であり、
そして、ｑは３であり、ｓは１または２である。
【００３６】
ペンタフルオロフェニル基は、ここで、フッ素原子を介して、金属原子Ｍと配位結合をすることが可能である。
【００３７】
本発明における、式（I）の遷移金属化合物の具体例としては、以下のとおりである。
【００３８】
［トリス（ペンタフルオロフェニル）（シクロペンタジエニリデン）ボラート］（シクロペンタジエニル）−１，２，３−トリメチルペンタ−１，３−ジエニルジルコニウム、
［トリス（ペンタフルオロフェニル）（メチルシクロペンタジエニリデン）ボラート］（メチルシクロペンタジエニル）−１，２，３−トリメチルペンタ−１，３−ジエニルジルコニウム、
［トリス（ペンタフルオロフェニル）（ｎ−ブチルシクロペンタジエニリデン）ボラート］（ｎ−ブチルシクロペンタジエニル）−１，２，３−トリメチルペンタ−１，３−ジエニルジルコニウム、
［トリス（ペンタフルオロフェニル）（インデニリデン）ボラート］（インデニル）−１，２，３−トリメチルペンタ−１，３−ジエニルジルコニウム、
［トリス（ペンタフルオロフェニル）（シクロペンタジエニリデン）ボラート］（ターシャリーブチルアミド）ジメチルシラン−１，２，３−トリメチルペンタ−１，３−ジエニルジルコニウム、
［トリス（ペンタフルオロフェニル）（２−メチルベンジインデニリデン）ボラート］（２−メチルベンジインデニエル）−１，２，３−トリメチルペンタ−１，３−ジエニルジルコニウム、
ジメチルシランジイル−［トリス（ペンタフルオロフェニル）（２−メチルインデニリデン）ボラート］（２−メチルインデニル）−１，２，３−トリメチルペンタ−１，３−ジエニルジルコニウム、
ジメチルシランジイル−［トリス（ペンタフルオロフェニル）（インデニリデン）ボラート］（インデニル）−１，２，３−トリメチルペンタ−１，３−ジエニルジルコニウム、
ジメチルシランジイル−［トリス（ペンタフルオロフェニル）（２−メチルベンジインデニリデン）ボラート］（２−メチルベンジインデニル）−１，２，３−トリメチルペンタ−１，３−ジエニルジルコニウム、
ジメチルシランジイル−［トリス（ペンタフルオロフェニル）（２−メチルインデニリデン）ボラート］（２−メチルベンジインデニル）−１，２，３−トリメチルペンタ−１，３−ジエニルジルコニウム、
ジメチルシランジイル−［トリス（ペンタフルオロフェニル）（２−メチルベンジインデニリデン）ボラート］（２−メチル−４−フェニルインデニル）−１，２，３−トリメチルペンタ−１，３−ジエニルジルコニウム、
ジメチルシランジイル−［トリス（ペンタフルオロフェニル）（２−メチルインデニリデン）ボラート］（４−フェニルインデニル）−１，２，３−トリメチルペンタ−１，３−ジエニルジルコニウム、
ジメチルシランジイル−［トリス（ペンタフルオロフェニル）（２−メチル−４−フェニルインデニリデン）ボラート］（２−メチル−４−フェニルインデニル）−１，２，３−トリメチルペンタ−１，３−ジエニルジルコニウム、
ジメチルシランジイル−［トリス（ペンタフルオロフェニル）（２−メチル−４，６−ジイソプロピルインデニリデン）ボラート］（２−メチル−４，６−ジイソプロピルインデニル）−１，２，３−トリメチルペンタ−１，３−ジエニルジルコニウム、
ジメチルシランジイル−［トリス（ペンタフルオロフェニル）（２−メチル−４ナフチルインデニリデン）ボラート］（２−メチル−４−ナフチルインデニル）−１，２，３−トリメチルペンタ−１，３−ジエニルジルコニウム、
イソプロピリデン−［トリス（ペンタフルオロフェニル）（シクロペンタジエニリデン）ボラート］（フルオレニル）−１，２，３−トリメチルペンタ−１，３−ジエニルジルコニウム、
イソプロピリデン−［トリス（ペンタフルオロフェニル）（シクロペンタジエニリデン）ボラート］（インデニル）−１，２，３−トリメチルペンタ−１，３−ジエニルジルコニウム、
［トリス（ペンタフルオロフェニル）（シクロペンタジエニリデン）ボラート］（−４，７，７−トリメチル−（４，５，６，７−テトラヒドロインデニル）−１，２，３−トリメチルペンタ−１，３−ジエニルジルコニウム、
［トリス（トリフルオロメチル）（シクロペンタジエニリデン）ボラート］（シクロペンタジエニル）−１，２，３−トリメチルペンタ−１，３−ジエニルジルコニウム、
［トリス（トリフルオロメチル）（メチルシクロペンタジエニリデン）ボラート］（メチルシクロペンタジエニル）−１，２，３−トリメチルペンタ−１，３−ジエニルジルコニウム、
［トリス（トリフルオロメチル）（ｎ−ブチルシクロペンタジエニリデン）ボラート］（ｎ−ブチルシクロペンタジエニル）−１，２，３−トリメチルペンタ−１，３−ジエニルジルコニウム、
［トリス（トリフルオロメチル）（インデニリデン）ボラート］（インデニル）−１，２，３−トリメチルペンタ−１，３−ジエニルジルコニウム、
［トリス（トリフルオロメチル）（シクロペンタジエニリデン）ボラート］（ターシャリーブチルアミド）ジメチルシラン−１，２，３−トリメチルペンタ−１，３−ジエニルジルコニウム、
［トリス（トリフルオロメチル）（２−メチルベンジインデニリデン）ボラート］（２−メチルベンジインデニル）−１，２，３−トリメチルペンタ−１，３−ジエニルジルコニウム、
ジメチルシランジイル−［トリス（トリフルオロメチル）（２−メチルインデニリデン）ボラート］（２−メチルインデニル）−１，２，３−トリメチルペンタ−１，３−ジエニルジルコニウム、
ジメチルシランジイル−［トリス（トリフルオロメチル）（インデニリデン）ボラート］（インデニル）−１，２，３−トリメチルペンタ−１，３−ジエニルジルコニウム、
ジメチルシランジイル−［トリス（トリフルオロメチル）（２−メチルベンジインデニリデン）ボラート］（２−メチルベンジインデニル）−１，２，３−トリメチルペンタ−１，３−ジエニルジルコニウム、
ジメチルシランジイル−［トリス（トリフルオロメチル）（２−メチルインデニリデン）ボラート］（２−メチルベンジインデニル）−１，２，３−トリメチルペンタ−１，３−ジエニルジルコニウム、
ジメチルシランジイル−［トリス（トリフルオロメチル）（２−メチルベンジインデニリデン）ボラート］（２−メチル−４−フェニルインデニル）−１，２，３−トリメチルペンタ−１，３−ジエニルジルコニウム、
ジメチルシランジイル−［トリス（トリフルオロメチル）（２−メチルインデニリデン）ボラート］（４−フェニルインデニル）−１，２，３−トリメチルペンタ−１，３−ジエニルジルコニウム、
ジメチルシランジイル−［トリス（トリフルオロメチル）（２−メチル−４−フェニルインデニリデン）ボラート］（２−メチル−４−フェニルインデニル）−１，２，３−トリメチルペンタ−１，３−ジエニルジルコニウム、
ジメチルシランジイル−［トリス（トリフルオロメチル）（２−メチル−４，６−ジイソプロピリンデニリデン）ボラート］（２−メチル−４，６−ジイソプロピリンデニル）−１，２，３−トリメチルペンタ−１，３−ジエニルジルコニウム、
ジメチルシランジイル−［トリス（トリフルオロメチル）（２−メチル−４−ナフチルインデニリデン）ボラート］（２−メチル−４−ナフチルインデニル）−１，２，３−トリメチルペンタ−１，３−ジエニルジルコニウム、
イソプロピリデン−［トリス（トリフルオロメチル）（シクロペンタジエニリデン）ボラート］（フルオレニル）−１，２，３−トリメチルペンタ−１，３−ジエニルジルコニウム、
イソプロピリデン−［トリス（トリフルオロメチル）（シクロペンタジエニリデン）ボラート］（インデニル）−１，２，３−トリメチルペンタ−１，３−ジエニルジルコニウム、
［トリス（トリフルオロメチル）（シクロペンタジエニリデン）ボラート］（−４，７，７−トリメチル−（４，５，６，７−テトラヒドロインデニル）−１，２，３−トリメチルペンタ−１，３−ジエニルジルコニウム、
メチルフェニルメチレン−［トリス（ペンタフルオロフェニル）（シクロペンタジエニリデン）ボラート］（フルオロエニル）−１，２，３−トリメチルペンタ−１，３−ジエニルジルコニウム、
ジフェニルメチレン−［トリス（ペンタフルオロフェニル）（シクロペンタジエニリデン）ボラート］（フルオロエニル）−１，２，３−トリメチルペンタ−１，３−ジエニルジルコニウム、
イソプロピリデン−［トリス（ペンタフルオロフェニル）（−３−メチルシクロペンタジエニリデン）ボラート］（フルオロエニル）−１，２，３−トリメチルペンタ−１，３−ジエニルジルコニウム、
ジメチルフェニルシランジイル−［トリス（ペンタフルオロフェニル）（３−ターシャリーブチルシクロペンタジエニリデン）ボラート］−（フルオレニル）−１，２，３−トリメチルペンタ−１，３−ジエニルジルコニウム、
ジフェニルシランジイル−［トリス（ペンタフルオロフェニル）（−３−（トリメチルシリル）シクロペンタジエニリデン）ボラート］−（フルオロエニル）−１，２，３−トリメチルペンタ−１，３−ジエニルジルコニウム、
メチルフェニルシランジイル−［トリス（ペンタフルオロフェニル）（２−メチルインデニリデン）ボラート］（２−メチルインデニル）１，２，３−トリメチルペンタ−１，３−ジエニルジルコニウム、
メチルフェニルシランジイル−［トリス（ペンタフルオロフェニル）（インデニリデン）ボラート］（インデニル）−１，２，３−トリメチルペンタ−１，３−ジエニルジルコニウム、
メチルフェニルシランジイル−［トリス（ペンタフルオロフェニル）（２−メチル−４，５−ベンジインデニリデン）ボラート］（２−メチル−４，５−ベンジインデニル）−１，２，３−トリメチルペンタ−１，３−ジエニルジルコニウム、メチルフェニルシランジイル−［トリス（ペンタフルオロフェニル）（２−メチルインデニリデン）ボラート］（２−メチル−４，５−ベンジインデニル）−１，２，３−トリメチルペンタ−１，３−ジエニルジルコニウム、
メチルフェニルシランジイル−［トリス（ペンタフルオロフェニル）（２−メチル−４，５−ベンジインデニリデン）ボラート］（２−メチル−４−フェニルインデニル）−１，２，３−トリメチルペンタ−１，３−ジエニルジルコニウム、
メチルフェニルシランジイル−［トリス（ペンタフルオロフェニル）（２−メチルインデニリデン）ボラート］（４−フェニルインデニル）−１，２，３−トリメチルペンタ−１，３−ジエニルジルコニウム、
メチルフェニルシランジイル−［トリス（ペンタフルオロフェニル）（２−メチル−４−フェニルインデニリデン）ボラート］（２−メチル−４−フェニルインデニル）−１，２，３−トリメチルペンタ−１，３−ジエニルジルコニウム、
メチルフェニルシランジイル−［トリス（ペンタフルオロフェニル）（２−エチル−４−フェニルインデニリデン）ボラート］（２−エチル−４−フェニルインデニル）−１，２，３−トリメチルペンタ−１，３−ジエニルジルコニウム、
メチルフェニルシランジイル−［トリス（ペンタフルオロフェニル）（２−メチル−４，６−ジイソプロピルインデニリデン）ボラート］（２−メチル−４，６−ジイソプロピルインデニル）−１，２，３−トリメチルペンタ−１，３−ジエニルジルコニウム、
メチルフェニルシランジイル−［トリス（ペンタフルオロフェニル）（２−メチル−４−ナフチルインデニリデン）ボラート］（２−メチル−４−ナフチルインデニル）−１，２，３−トリメチルペンタ−１，３−ジエニルジルコニウム、
エチレン−［トリス（ペンタフルオロフェニル）（インデニリデン）ボラート］（インデニル）−１，２，３−トリメチルペンタ−１，３−ジエニルジルコニウム、
エチレン−［トリス（ペンタフルオロフェニル）（２−メチルインデニリデン）ボラート］（２−メチルインデニル）−１，２，３−トリメチルペンタ−１，３−ジエニルジルコニウム、
エチレン−［トリス（ペンタフルオロフェニル）（２−メチル−４，５−ベンジインデニリデン）ボラート］（２−メチル−４，５−ベンジインデニル）−１，２，３−トリメチルペンタ−１，３−ジエニルジルコニウム、
エチレン−［トリス（ペンタフルオロフェニル）（２−メチルインデニリデン）ボラート］（２−メチル−４，５−ベンジインデニル）−１，２，３−トリメチルペンタ−１，３−ジエニルジルコニウム、
エチレン−［トリス（ペンタフルオロフェニル）（２−メチル−４，５−ベンジインデニリデン）ボラート］（２−メチル−４−フェニルインデニル）−１，２，３−トリメチルペンタ−１，３−ジエニルジルコニウム、
エチレン−［トリス（ペンタフルオロフェニル）（２−メチルインデニリデン）ボラート］（４−フェニルインデニル）−１，２，３−トリメチルペンタ−１，３−ジエニルジルコニウム、
エチレン−［トリス（ペンタフルオロフェニル）（２−メチル−４−フェニルインデニリデン）ボラート］（２−メチル−４−フェニルインデニル）−１，２，３−トリメチルペンタ−１，３−ジエニルジルコニウム、
エチレン−［トリス（ペンタフルオロフェニル）（２−メチル−４，６−ジイソプロピルインデニリデン）ボラート］（２−メチル−４，６−ジイソプロピルインデニル）−１，２，３−トリメチルペンタ−１，３−ジエニルジルコニウム、
エチレン−［トリス（ペンタフルオロフェニル）（２−メチル−４−ナフチルインデニリデン）ボラート］（２−メチル−４−ナフチルインデニル）−１，２，３−トリメチルペンタ−１，３−ジエニルジルコニウム、
エチレン−［トリス（ペンタフルオロフェニル）（２−エチル−４−フェニルインデニリデン）ボラート］（２−エチル−４−フェニルインデニル）−１，２，３−トリメチルペンタ−１，３−ジエニルジルコニウム、
［ビス（ペンタフルオロフェニル）（シクロペンタジエニリデン）ボラン］（シクロペンタジエニル）−１，２，３−トリメチルペンタ−１，３−ジエニルジルコニウム、
［ビス（ペンタフルオロフェニル）（メチルシクロペンタジエニリデン）ボラン］（メチルシクロペンタジエニル）−１，２，３−トリメチルペンタ−１，３−ジエニルジルコニウム、
［ビス（ペンタフルオロフェニル）（ｎ−ブチルシクロペンタジエニリデン）ボラン］（ｎ−ブチルシクロペンタジエニル）−１，２，３−トリメチルペンタ−１，３−ジエニルジルコニウム、
［ビス（ペンタフルオロフェニル）（インデニリデン）ボラン］（インデニル）−１，２，３−トリメチルペンタ−１，３−ジエニルジルコニウム、
［ビス（ペンタフルオロフェニル）（シクロペンタジエニリデン）ボラン］（ターシャリーブチルアミド）ジメチルシラン−１，２，３−トリメチルペンタ−１，３−ジエニルジルコニウム、
［ビス（ペンタフルオロフェニル）（２−メチルベンジインデニリデン）ボラン］（２−メチルベンジインデニエル）−１，２，３−トリメチルペンタ−１，３−ジエニルジルコニウム、
ジメチルシランジイル−［ビス（ペンタフルオロフェニル）（２−メチルインデニリデン）ボラン］（２−メチルインデニル）−１，２，３−トリメチルペンタ−１，３−ジエニルジルコニウム、
ジメチルシランジイル−［ビス（ペンタフルオロフェニル）（インデニリデン）ボラン］（インデニル）−１，２，３−トリメチルペンタ−１，３−ジエニルジルコニウム、
ジメチルシランジイル−［ビス（ペンタフルオロフェニル）（２−メチルベンジインデニリデン）ボラン］（２−メチルベンジインデニル）−１，２，３−トリメチルペンタ−１，３−ジエニルジルコニウム、
ジメチルシランジイル−［ビス（ペンタフルオロフェニル）（２−メチルインデニリデン）ボラン］（２−メチルベンジインデニル）−１，２，３−トリメチルペンタ−１，３−ジエニルジルコニウム、
ジメチルシランジイル−［ビス（ペンタフルオロフェニル）（２−メチルベンジインデニリデン）ボラン］（２−メチル−４−フェニルインデニル）−１，２，３−トリメチルペンタ−１，３−ジエニルジルコニウム、
ジメチルシランジイル−［ビス（ペンタフルオロフェニル）（２−メチルインデニリデン）ボラン］（４−フェニルインデニル）−１，２，３−トリメチルペンタ−１，３−ジエニルジルコニウム、
ジメチルシランジイル−［ビス（ペンタフルオロフェニル）（２−メチル−４−フェニルインデニリデン）ボラン］（２−メチル−４−フェニルインデニル）−１，２，３−トリメチルペンタ−１，３−ジエニルジルコニウム、
ジメチルシランジイル−［ビス（ペンタフルオロフェニル）（２−メチル−４，６−ジイソプロピルインデニリデン）ボラン］（２−メチル−４，６−ジイソプロピルインデニル）−１，２，３−トリメチルペンタ−１，３−ジエニルジルコニウム、
ジメチルシランジイル−［ビス（ペンタフルオロフェニル）（２−メチル−４−ナフチルインデニリデン）ボラン］（２−メチル−４−ナフチルインデニル）−１，２，３−トリメチルペンタ−１，３−ジエニルジルコニウム、
イソプロピリデン−［ビス（ペンタフルオロフェニル）（シクロペンタジエニリデン）ボラン］（フルオレニル）−１，２，３−トリメチルペンタ−１，３−ジエニルジルコニウム、
イソプロピリデン−［ビス（ペンタフルオロフェニル）（シクロペンタジエニリデン）ボラン］（インデニル）−１，２，３−トリメチルペンタ−１，３−ジエニルジルコニウム、
［ビス（ペンタフルオロフェニル）（シクロペンタジエニリデン）ボラン］（４，７，７−トリメチル−（４，５，６，７−テトラヒドロインデニル）−１，２，３−トリメチルペンタ−１，３−ジエニルジルコニウム、
［ビス（トリフルオロメチル）（シクロペンタジエニリデン）ボラン］（シクロペンタジエニル）−１，２，３−トリメチルペンタ−１，３−ジエニルジルコニウム、
［ビス（トリフルオロメチル）（メチルシクロペンタジエニリデン）ボラン］（メチルシクロペンタジエニル）−１，２，３−トリメチルペンタ−１，３−ジエニルジルコニウム、
［ビス（トリフルオロメチル）（ｎ−ブチルシクロペンタジエニリデン）ボラン］（ｎ−ブチルシクロペンタジエニル）−１，２，３−トリメチルペンタ−１，３−ジエニルジルコニウム、
［ビス（トリフルオロメチル）（インデニリデン）ボラン］（インデニル）−１，２，３−トリメチルペンタ−１，３−ジエニルジルコニウム、
［ビス（トリフルオロメチル）（シクロペンタジエニリデン）ボラン］（ターシャリーブチルアミド）ジメチルシラン−１，２，３−トリメチルペンタ−１，３−ジエニルジルコニウム、
［ビス（トリフルオロメチル）（２−メチルベンジインデニリデン）ボラン］（２−メチルベンジインデニル）−１，２，３−トリメチルペンタ−１，３−ジエニルジルコニウム、
ジメチルシランジイル−［ビス（トリフルオロメチル）（２−メチルインデニリデン）ボラン］（２−メチルインデニル）−１，２，３−トリメチルペンタ−１，３−ジエニルジルコニウム、
ジメチルシランジイル−［ビス（トリフルオロメチル）（インデニリデン）ボラン］（インデニル）−１，２，３−トリメチルペンタ−１，３−ジエニルジルコニウム、
ジメチルシランジイル−［ビス（トリフルオロメチル）（２−メチルベンジインデニリデン）ボラン］（２−メチルベンジインデニル）−１，２，３−トリメチルペンタ−１，３−ジエニルジルコニウム、
ジメチルシランジイル−［ビス（トリフルオロメチル）（２−メチルインデニリデン）ボラン］（２−メチルベンジインデニル）−１，２，３−トリメチルペンタ−１，３−ジエニルジルコニウム、
ジメチルシランジイル−［ビス（トリフルオロメチル）（２−メチルベンジインデニリデン）ボラン］（２−メチル−４−フェニルインデニル）−１，２，３−トリメチルペンタ−１，３−ジエニルジルコニウム、
ジメチルシランジイル−［ビス（トリフルオロメチル）（２−メチルインデニリデン）ボラン］（４−フェニルインデニル）−１，２，３−トリメチルペンタ−１，３−ジエニルジルコニウム、
ジメチルシランジイル−［ビス（トリフルオロメチル）（２−メチル−４−フェニルインデニリデン）ボラン］（２−メチル−４−フェニルインデニル）−１，２，３−トリメチルペンタ−１，３−ジエニルジルコニウム、
ジメチルシランジイル−［ビス（トリフルオロメチル）（２−メチル−４，６−ジイソプロピルインデニリデン）ボラン］（２−メチル−４，６−ジイソプロピルインデニル）−１，２，３−トリメチルペンタ−１，３−ジエニルジルコニウム、
ジメチルシランジイル−［ビス（トリフルオロメチル）（２−メチル−４−ナフチルインデニリデン）ボラン］（２−メチル−４−ナフチルインデニル）−１，２，３−トリメチルペンタ−１，３−ジエニルジルコニウム、
イソプロピリデン−［ビス（トリフルオロメチル）（シクロペンタジエニリデン）ボラン］（フルオレニル）−１，２，３−トリメチルペンタ−１，３−ジエニルジルコニウム、
イソプロピリデン−［ビス（トリフルオロメチル）（シクロペンタジエニリデン）ボラン］（インデニル）−１，２，３−トリメチルペンタ−１，３−ジエニルジルコニウム、
［ビス（トリフルオロメチル）（シクロペンタジエニリデン）ボラン］（４，７，７−トリメチル−（４，５，６，７−テトラヒドロインデニル）−１，２，３−トリメチルペンタ−１，３−ジエニルジルコニウム、
メチルフェニルメチレン−［ビス（ペンタフルオロフェニル）（シクロペンタジエニリデン）ボラン］（フルオレニル）−１，２，３−トリメチルペンタ−１，３−ジエニルジルコニウム、
ジフェニルメチレン−［ビス（ペンタフルオロフェニル）（シクロペンタジエニリデン）ボラン］（フルオレニル）−１，２，３−トリメチルペンタ−１，３−ジエニルジルコニウム、
イソプロピリデン−［ビス（ペンタフルオロフェニル）（３−メチルシクロペンタジエニリデン）ボラン］（フルオレニル）−１，２，３−トリメチルペンタ−１，３−ジエニルジルコニウム、
ジメチルシランジイル−［ビス（ペンタフルオロフェニル）（３−（ターシャリーブチルシクロペンタジエニリデン）ボラン］（フルオレニル）−１，２，３−トリメチルペンタ−１，３−ジエニルジルコニウム、
ジフェニルシランジイル−［ビス（ペンタフルオロフェニル）（３−（トリメチルシリル）シクロペンタジエニリデン）ボラン］−（フルオレニル）−１，２，３−トリメチルペンタ−１，３−ジエニルジルコニウム、
メチルフェニルシランジイル−［ビス（ペンタフルオロフェニル）（２−メチルインデニリデン）ボラン］−（２−メチルインデニル）−１，２，３−トリメチルペンタ−１，３−ジエニルジルコニウム、
メチルフェニルシランジイル−［ビス（ペンタフルオロフェニル）（インデニリデン）ボラン］（インデニル）−１，２，３−トリメチルペンタ−１，３−ジエニルジルコニウム、
メチルフェニルシランジイル−［ビス（ペンタフルオロフェニル）（２−メチル−４，５−ベンジインデニリデン）ボラン］（２−メチル−４，５−ベンジインデニル）−１，２，３−トリメチルペンタ−１，３−ジエニルジルコニウム、
メチルフェニルシランジイル−［ビス（ペンタフルオロフェニル）（２−メチルインデニリデン）ボラン］（２−メチル−４，５−ベンジンデニル）−１，２，３−トリメチルペンタ−１，３−ジエニルジルコニウム、
メチルフェニルシランジイル−［ビス（ペンタフルオロフェニル）（２−メチル−４，５−ベンジンデニリデン）ボラン］（２−メチル−４−フェニルインデニル）−１，２，３−トリメチルペンタ−１，３−ジエニルジルコニウム、
メチルフェニルシランジイル−［ビス（ペンタフルオロフェニル）（２−メチルインデニリデン）ボラン］（４−フェニルインデニル）−１，２，３−トリメチルペンタ−１，３−ジエニルジルコニウム、
メチルフェニルシランジイル−［ビス（ペンタフルオロフェニル）（２−メチル−４−フェニルインデニリデン）ボラン］（２−メチル−４−フェニルインデニル）−１，２，３−トリメチルペンタ−１，３−ジエニルジルコニウム、
メチルフェニルシランジイル−［ビス（ペンタフルオロフェニル）（２−エチル−４−フェニルインデニリデン）ボラン］（２−エチル−４−フェニルインデニル）−１，２，３−トリメチルペンタ−１，３−ジエニルジルコニウム、
メチルフェニルシランジイル−［ビス（ペンタフルオロフェニル）（２−メチル−４，６−ジイソプロピルインデニリデン）ボラン］（２−メチル−４，６−ジイソプロピルインデニル）−１，２，３−トリメチルペンタ−１，３−ジエニルジルコニウム、
メチルフェニルシランジイル−［ビス（ペンタフルオロフェニル）（２−メチル−４−ナフチルインデニリデン）ボラン］（２−メチル−４−ナフチルインデニル）−１，２，３−トリメチルペンタ−１，３−ジエニルジルコニウム、
エチレン−［ビス（ペンタフルオロフェニル）（インデニリデン）ボラン］（インデニル）−１，２，３−トリメチルペンタ−１，３−ジエニルジルコニウム、
エチレン−［ビス（ペンタフルオロフェニル）（２−メチルインデニリデン）ボラン］（２−メチルインデニル）−１，２，３−トリメチルペンタ−１，３−ジエニルジルコニウム、
エチレン−［ビス（ペンタフルオロフェニル）（２−メチル−４，５−ベンジインデニリデン）ボラン］（２−メチル−４，５−ベンジインデニル）−１，２，３−トリメチルペンタ−１，３−ジエニルジルコニウム、
エチレン−［ビス（ペンタフルオロフェニル）（２−メチルインデニリデン）ボラン］（２−メチル−４，５−ベンジインデニル）−１，２，３−トリメチルペンタ−１，３−ジエニルジルコニウム、
エチレン−［ビス（ペンタフルオロフェニル）（２−メチル−４，５−ベンジインデニリデン）ボラン］（２−メチル−４−フェニルインデニル）−１，２，３−トリメチルペンタ−１，３−ジエニルジルコニウム、
エチレン−［ビス（ペンタフルオロフェニル）（２−メチルインデニリデン）ボラン］（４−フェニルインデニル）−１，２，３−トリメチルペンタ−１，３−ジエニルジルコニウム、
エチレン−［ビス（ペンタフルオロフェニル）（２−メチル−４−フェニルインデニリデン）ボラン］（２−メチル−４−フェニルインデニル）−１，２，３−トリメチルペンタ−１，３−ジエニルジルコニウム、
エチレン−［ビス（ペンタフルオロフェニル）（２−メチル−４，６−ジイソプロピルインデニリデン）ボラン］（２−メチル−４，６−ジイソプロピルインデニル）−１，２，３−トリメチルペンタ−１，３−ジエニルジルコニウム、
エチレン−［ビス（ペンタフルオロフェニル）（２−メチル−４−ナフチルインデニリデン）ボラン］（２−メチル−４−ナフチルインデニル）−１，２，３−トリメチルペンタ−１，３−ジエニルジルコニウム、
エチレン−［ビス（ペンタフルオロフェニル）（２−エチル−４−フェニルインデニリデン）ボラン］（２−エチル−４−フェニルインデニル）−１，２，３−トリメチルペンタ−１，３−ジエニルジルコニウム、
［トリス（ペンタフルオロフェニル）（シクロペンタジエニリデン）ボラート］（シクロペンタジエニル）−１，２，３，４−テトラフェニルブタ−１，３−ジエニルジルコニウム、
［トリス（ペンタフルオロフェニル）（２−メチルベンジインデニリデン）ボラート］（２−メチルベンジインデニル）−１，２，３，４−テトラフェニルブタ−１，３−ジエニルジルコニウム、
ジメチルシランジイル−［トリス（ペンタフルオロフェニル）（２−メチルインデニリデン）ボラート］（２−メチル−インデニル）−１，２，３，４−テトラフェニルブタ−１，３−ジエニルジルコニウム、
ジメチルシランジイル−［トリス（ペンタフルオロフェニル）（２−メチルベンジインデニリデン）ボラート］（２−メチル−４−フェニルインデニル）−１，２，３，４−テトラフェニルブタ−１，３−ジエニルジルコニウム、
ジメチルシランジイル−［トリス（ペンタフルオロフェニル）（２−メチル−４−フェニルインデニリデン）ボラート］（２−メチル−４−フェニルインデニル）−１，２，３，４−テトラフェニルブタ−１，３−ジエニルジルコニウム、
ジメチルシランジイル−［トリス（ペンタフルオロフェニル）（２−メチル−４−ナフチルインデニリデン）ボラート］（２−メチル−４−ナフチルインデニル）−１，２，３，４−テトラフェニルブタ−１，３−ジエニルジルコニウム、
イソプロピリデン−［トリス（ペンタフルオロフェニル）（シクロペンタジエニリデン）ボラート］（フルオレニル）−１，２，３，４−テトラフェニルブタ−１，３−ジエニルジルコニウム、
ジメチルシランジイル−［トリス（ペンタフルオロフェニル）（２−メチルベンジインデニリデン）ボラート］（２−メチルベンジインデニル）−１，２，３，４−テトラフェニルブタ−１，３−ジエニルジルコニウム、
ジメチルシランジイル−［トリス（ペンタフルオロフェニル）（２−メチル−４−フェニルインデニリデン）ボラート］（２−メチル−４−フェニルインデニル）−１，２，３，４−テトラフェニルブタ−１，３−ジエニルジルコニウム、
ジメチルシランジイル−［トリス（ペンタフルオロフェニル）（２−メチル−４，６−ジイソプロピルインデニリデン）ボラート］（２−メチル−４，６−ジイソプロピルインデニル）−１，２，３，４−テトラフェニルブタ−１，３−ジエニルジルコニウム、
メチルフェニルメチレン−［トリス（ペンタフルオロフェニル）（シクロペンタジエニリデン）ボラート］（フルオレニル）−１，２，３，４−テトラフェニルブタ−１，３−ジエニルジルコニウム、
メチルフェニルシランジイル−［トリス（ペンタフルオロフェニル）（２−メチル−４，５−ベンジインデニリデン）ボラート］（２−メチル−４，５−ベンジインデニル）−１，２，３，４−テトラフェニルブタ−１，３−ジエニルジルコニウム、
メチルフェニルシランジイル−［トリス（ペンタフルオロフェニル）（２−エチル−４−フェニル−インデニリデン）ボラート］（２−エチル−４−フェニルインデニル）−１，２，３，４−テトラフェニルブタ−１，３−ジエニルジルコニウム、
エチレン−［トリス（ペンタフルオロフェニル）（２−メチルインデニリデン）ボラート］（２−メチルインデニル）−１，２，３，４−テトラフェニルブタ−１，３−ジエニルジルコニウム、
［トリス（ペンタフルオロフェニル）（シクロペンタジエニリデン）ボラート］（シクロペンタジエニル）−１−メチル−２，３−シクロヘキシレン−ペンタ−１，３−ジエニルジルコニウム、
ジメチルシランジイル−［トリス（ペンタフルオロフェニル）（２−メチル−４−フェニルインデニリデン）ボラート］（２−メチル−４−フェニルインデニル）−１−メチル−２，３−シクロヘキシレン−ペンタ−１，３−ジエニルジルコニウム、
［トリス（ペンタフルオロフェニル）（シクロペンタジエニリデン）ボラート］（シクロペンタジエニル）−１，４−ジ（トリメチルシリル）−２，３−ジメチルブタ−１，３−ジルコニウム、
ジメチルシランジイル−［トリス（ペンタフルオロフェニル）（２−メチル−４−フェニルインデニリデン）ボラート］（２−メチル−４−フェニルインデニル）−１，４−ジ（トリメチルシリル）−２，３−ジメチルブタ−１，３−ジルコニウム、
［トリス（ペンタフルオロフェニル）（シクロペンタジエニリデン）ボラート］（シクロペンタジエニル）アセチルアセトネートジルコニウム、
ジメチルシランジイル−［トリス（ペンタフルオロフェニル）（２−メチル−４−フェニルインデニリデン）ボラート］（２−メチル−４−フェニルインデニル）アセチルアセトネートジルコニウム、
［トリス（ペンタフルオロフェニル）（シクロペンタジエニリデン）ボラート］（シクロペンタジエニル）ビピリジルジルコニウム、
ジメチルシランジイル−［トリス（ペンタフルオロフェニル）（２−メチル−４−フェニルインデニリデン）ボラート］（２−メチル−４−フェニルインデニル）ビピリジルジルコニウム、
［トリス（ペンタフルオロフェニル）（シクロペンタジエニリデン）ボラート］（シクロペンタジエニル）クロロジルコニウム、
ジメチルシランジイル−［トリス（ペンタフルオロフェニル）（２−メチル−４−フェニルインデニリデン）ボラート］（２−メチル−４−フェニルインデニル）クロロジルコニウム、
［トリス（ペンタフルオロフェニル）（シクロペンタジエニリデン）ボラート］ビス（シクロペンタジエニル）ジルコニウム、
［トリス（ペンタフルオロフェニル）（２−メチルベンジインデニリデン）ボラート］（２−メチルベンジインデニル）メチルジルコニウム、
ジメチルシランジイル−［トリス（ペンタフルオロフェニル）（２−メチルインデニリデン）ボラート］（２−メチルインデニル）メチルジルコニウム、
ジメチルシランジイル−［トリス（ペンタフルオロフェニル）（２−メチルベンジインデニリデン）ボラート］（２−メチル−４−フェニルインデニル）メチルジルコニウム、
ジメチルシランジイル−［トリス（ペンタフルオロフェニル）（２−メチル−４−ナフチルインデニリデン）ボラート］（２−メチル−４−ナフチルインデニル）メチルジルコニウム、
イソプロピリリデン−［トリス（ペンタフルオロフェニル）（シクロペンタジエニリデン）ボラート］（フルオレニル）メチルジルコニウム、
ジメチルシランジイル−［トリス（トリフルオロメチル）（２−メチルベンジインデニリデン）ボラート］（２−メチルベンジインデニル）メチルジルコニウム、ジメチルシランジイル−［トリス（トリフルオロメチル）（２−メチル−４−フェニルインデニリデン）ボラート］（２−メチル−４−フェニルインデニル）メチルジルコニウム、
ジメチルシランジイル［トリス（トリフルオロメチル）（２−メチル−４，６−ジイソプロピルインデニリデン）ボラート］（２−メチル−４，６−ジイソプロピルインデニル）メチルジルコニウム、
メチルフェニルメチレン［トリス（ペンタフルオロフェニル）（シクロペンタジエニリデン）ボラート］（フルオレニル）メチルジルコニウム、
メチルフェニルシランジイル［トリス（ペンタフルオロフェニル）（２−メチル−４，５−ベンジインデニリデン）ボラート］（２−メチル−４，５−ベンジインデニル）メチルジルコニウム、
メチルフェニルシランジイル［トリス（ペンタフルオロフェニル）（２−エチル−４−フェニル−インデニリデン）ボラート］（２−エチル−４−フェニルインデニル）メチルジルコニウム、
エチレン［トリス（ペンタフルオロフェニル）（２−メチルインデニリデン）ボラート］（２−メチルインデニル）メチルジルコニウム、
［トリス（ペンタフルオロフェニル）（２−メチルベンジインデニリデン）ボラート］（２−メチルベンジインデニル）フェニルジルコニウム、
ジメチルシランジイル［トリス（ペンタフルオロフェニル）（２−メチルインデニリデン）ボラート］（２−メチルインデニル）フェニルジルコニウム、
ジメチルシランジイル［トリス（ペンタフルオロフェニル）（２−メチルベンジンデニリデン）ボラート］（２−メチル−４−フェニルインデニル）フェニルジルコニウム、
ジメチルシランジイル［トリス（ペンタフルオロフェニル）（２−メチル−４−ナフチルインデニリデン）ボラート］（２−メチル−４−ナフチルインデニル）フェニルジルコニウム、
イソプロピリデン［トリス（ペンタフルオロフェニル）（シクロペンタジエニリデン）ボラート］（フルオレニル）フェニルジルコニウム、
ジメチルシランジイル［トリス（トリフルオロメチル）（２−メチルベンジインデニリデン）ボラート］（２−メチルベンジインデニル）フェニルジルコニウム、ジメチルシランジイル−［トリス（トリフルオロメチル）（２−メチル−４−フェニルインデニリデン）ボラート］（２−メチル−４−フェニルインデニル）フェニルジルコニウム、
ジメチルシランジイル−［トリス（トリフルオロメチル）（２−メチル−４，６−ジイソプロピルインデニリデン）ボラート］（２−メチル−４，６−ジイソプロピルインデニル）フェニルジルコニウム、
メチルフェニルメチレン−［トリス（ペンタフルオロフェニル）（シクロペンタジエニリデン）ボラート］（フルオレニル）フェニルジルコニウム、
メチルフェニルシランジイル［トリス（ペンタフルオロフェニル）（２−メチル−４，５−ベンジインデニリデン）ボラート］（２−メチル−４，５−ベンジインデニル）フェニルジルコニウム、
メチルフェニルシランジイル［トリス（ペンタフルオロフェニル）（２−エチル−４−フェニル−インデニリデン）ボラート］（２−エチル−４−フェニルインデニル）フェニルジルコニウム、
エチレン［トリス（ペンタフルオロフェニル）（２−メチルインデニリデン）ボラート］（２−メチルインデニル）フェニルジルコニウム、
［ビス（ペンタフルオロフェニル）（シクロペンタジエニリデン）ボラン］（シクロペンタジエニル）−１，２，３，４−テトラフェニルブタ−１，３−ジエニルジルコニウム、
［ビス（ペンタフルオロフェニル）（２−メチルベンジインデニリデン）ボラン］（２−メチルベンジインデニエル）−１，２，３，４−テトラフェニルブタ−１，３−ジエニルジルコニウム、
ジメチルシランジイル［ビス（ペンタフルオロフェニル）（２−メチルインデニリデン）ボラン］（２−メチルインデニル）−１，２，３，４−テトラフェニルブタ−１，３−ジエニルジルコニウム、
ジメチルシランジイル［ビス（ペンタフルオロフェニル）（２−メチルベンジインデニリデン）ボラン］（２−メチル−４−フェニルインデニル）−１，２，３，４−テトラフェニルブタ−１，３−ジエニルジルコニウム、
ジメチルシランジイル［ビス（ペンタフルオロフェニル）（２−メチル−４−フェニルインデニリデン）ボラン］（２−メチル−４−フェニルインデニル）−１，２，３，４−テトラフェニルブタ−１，３−ジエニルジルコニウム、
ジメチルシランジイル［ビス（ペンタフルオロフェニル）（２−メチル−４−ナフチルインデニリデン）ボラン］（２−メチル−４−ナフチルインデニル）−１，２，３，４−テトラフェニルブタ−１，３−ジエニルジルコニウム、
イソプロピリデン［ビス（ペンタフルオロフェニル）（シクロペンタジエニリデン）ボラン］（フルオレニル）−１，２，３，４−テトラフェニルブタ−１，３−ジエニルジルコニウム、
ジメチルシランジイル［ビス（トリフルオロメチル）（２−メチルベンジインデニリデン）ボラン］（２−メチルベンジインデニル）−１，２，３，４−テトラフェニルブタ−１，３−ジエニルジルコニウム、
ジメチルシランジイル［ビス（トリフルオロメチル）（２−メチル−４−フェニルインデニリデン）ボラン］（２−メチル−４−フェニルインデニル）−１，２，３，４−テトラフェニルブタ−１，３−ジエニルジルコニウム、
ジメチルシランジイル［ビス（トリフルオロメチル）（２−メチル−４，６−ジイソプロピルインデニリデン）ボラン］（２−メチル−４，６−ジイソプロピリルインデニル）−１，２，３，４−テトラフェニルブタ−１，３−ジエニルジルコニウム、
メチルフェニルメチレン［ビス（ペンタフルオロフェニル）（シクロペンタジエニリデン）ボラン］（フルオレニル）−１，２，３，４−テトラフェニルブタ−１，３−ジエニルジルコニウム、
メチルフェニルシランジイル［ビス（ペンタフルオロフェニル）（２−メチル−４，５−ベンジインデニリデン）ボラン］（２−メチル−４，５−ベンジインデニル）−１，２，３，４−テトラフェニルブタ−１，３−ジエニルジルコニウム、メチルフェニルシランジイル［ビス（ペンタフルオロフェニル）（２−エチル−４−フェニル−インデニリデン）ボラン］（２−エチル−４−フェニルインデニル）−１，２，３，４−テトラフェニルブタ−１，３−ジエニルジルコニウム、エチレン−［ビス（ペンタフルオロフェニル）（２−メチルインデニリデン）ボラン］（２−メチルインデニル）−１，２，３，４−テトラフェニルブタ−１，３−ジエニルジルコニウム、
［ビス（ペンタフルオロフェニル）（シクロペンタジエニリデン）ボラン］（シクロペンタジエニル）−１−メチル−２，３−シクロヘキシレン−ペンタ−１，３−ジエニルジルコニウム、
ジメチルシランジイル［ビス（ペンタフルオロフェニル）（２−メチル−４−フェニルインデニリデン）ボラン］（２−メチル−４−フェニルインデニル）−１−メチル−２，３−シクロヘキシレン−ペンタ−１，３−ジエニルジルコニウム、［ビス（ペンタフルオロフェニル）（シクロペンタジエニリデン）ボラン］（シクロペンタジエニル）−１，４−ジ（トリメチルシリル）−２，３−ジメチルブタ−１，３−ジエニルジルコニウム、
ジメチルシランジイル［ビス（ペンタフルオロフェニル）（２−メチル−４−フェニルインデニリデン）ボラン］（２−メチル−４−フェニルインデニル）−１，４−ジ（トリメチルシリル）−２，３−ジメチルブタ−１，３−ジエニルジルコニウム、
［ビス（ペンタフルオロフェニル）（シクロペンタジエニリデン）ボラン］（シクロペンタジエニル）アセチルアセトネートジルコニウム、
ジメチルシランジイル［ビス（ペンタフルオロフェニル）（２−メチル−４−フェニルインデニリデン）ボラン］（２−メチル−４−フェニルインデニル）アセチルアセトネートジルコニウム、
［ビス（ペンタフルオロフェニル）（シクロペンタジエニリデン）ボラン］（シクロペンタジエニル）ビピリジルジルコニウム、
ジメチルシランジイル［ビス（ペンタフルオロフェニル）（２−メチル−４−フェニルインデニリデン）ボラン］（２−メチル−４−フェニルインデニル）ビピリジルジルコニウム、
［ビス（ペンタフルオロフェニル）（シクロペンタジエニリデン）ボラン］（シクロペンタジエニル）ジクロロジルコニウム、
ジメチルシランジイル［ビス（ペンタフルオロフェニル）（２−メチル−４−フェニルインデニリデン）ボラン］（２−メチル−４−フェニルインデニル）ジクロロジルコニウム、
［ビス（ペンタフルオロフェニル）（２−メチルベンジインデニリデン）ボラン］（２−メチルベンジインデニル）ジメチルジルコニウム、
ジメチルシランジイル［ビス（ペンタフルオロフェニル）（２−メチルインデニリデン）ボラン］（２−メチルインデニル）ジメチルジルコニウム、
ジメチルシランジイル［ビス（ペンタフルオロフェニル）（２−メチルベンジインデニリデン）ボラン］（２−メチル−４−フェニルインデニル）ジメチルジルコニウム、
ジメチルシランジイル［ビス（ペンタフルオロフェニル）（２−メチル−４−ナフチルインデニリデン）ボラン］（２−メチル−４−ナフチルインデニル）ジメチルジルコニウム、
イソプロピリデン［ビス（ペンタフルオロフェニル）（シクロペンタジエニリデン）ボラン］（フルオレニル）ジメチルジルコニウム、
ジメチルシランジイル［ビス（トリフルオロメチル）（２−メチルベンジインデニリデン）ボラン］（２−メチルベンジンデニル）ジメチルジルコニウム、
ジメチルシランジイル［ビス（トリフルオロメチル）（２−メチル−４−フェニルインデニリデン）ボラン］（２−メチル−４−フェニルインデニル）ジメチルジルコニウム、
ジメチルシランジイル［ビス（トリフルオロメチル）（２−メチル−４，６−ジイソプロピルインデニリデン）ボラン］（２−メチル−４，６−ジイソプロピルインデニル）ジメチルジルコニウム、
メチルフェニルメチレン［ビス（ペンタフルオロフェニル）（シクロペンタジエニリデン）ボラン］（フルオレニル）ジメチルジルコニウム、
メチルフェニルシランジイル［ビス（ペンタフルオロフェニル）（２−メチル−４，５−ベンジインデニリデン）ボラン］（２−メチル−４，５−ベンジインデニル）ジメチルジルコニウム、
メチルフェニルシランジイル［ビス（ペンタフルオロフェニル）（２−エチル−４−フェニル−インデニリデン）ボラン］（２−エチル−４−フェニルインデニル）ジメチルジルコニウム、
エチレン［ビス（ペンタフルオロフェニル）（２−メチルインデニリデン）ボラン］（２−メチルインデニル）ジメチルジルコニウム、
［ビス（ペンタフルオロフェニル）（２−メチルベンジインデニリデン）ボラン］（２−メチルベンジインデニル）ジフェニルジルコニウム、
ジメチルシランジイル［ビス（ペンタフルオロフェニル）（２−メチルインデニリデン）ボラン］（２−メチルインデニル）ジフェニルジルコニウム、
ジメチルシランジイル［ビス（ペンタフルオロフェニル）（２−メチルベンジインデニリデン）ボラン］（２−メチル−４−フェニルインデニル）ジフェニルジルコニウム、
ジメチルシランジイル［ビス（ペンタフルオロフェニル）（２−メチル−４−ナフチルインデニリデン）ボラン］（２−メチル−４−ナフチルインデニル）ジフェニルジルコニウム、
イソプロピリデン［ビス（ペンタフルオロフェニル）（シクロペンタジエニリデン）ボラン］（フルオレニル）ジフェニルジルコニウム、
ジメチルシランジイル［ビス（トリフルオロメチル）（２−メチルベンジインデニリデン）ボラン］（２−メチルベンジインデニル）ジフェニルジルコニウム、
ジメチルシランジイル［ビス（トリフルオロメチル）（２−メチル−４−フェニルインデニリデン）ボラン］（２−メチル−４−フェニルインデニル）ジフェニルジルコニウム、
ジメチルシランジイル［ビス（トリフルオロメチル）（２−メチル−４，６−ジイソプロピルインデニリデン）ボラン］（２−メチル−４，６−ジイソプロピルインデニル）ジフェニルジルコニウム、
メチルフェニルメチレン［ビス（ペンタフルオロフェニル）（シクロペンタジエニリデン）ボラン］（フルオレニル）ジフェニルジルコニウム、
メチルフェニルシランジイル［ビス（ペンタフルオロフェニル）（２−メチル−４，５−ベンジインデニリデン）ボラン］（２−メチル−４，５−ベンジインデニル）ジフェニルジルコニウム、
メチルフェニルシランジイル［ビス（ペンタフルオロフェニル）（２−エチル−４−フェニル−インデニリデン）ボラン］（２−エチル−４−フェニルインデニル）ジフェニルジルコニウム、
エチレン［ビス（ペンタフルオロフェニル）（２−メチルインデニリデン）ボラン］（２−メチルインデニル）ジフェニルジルコニウム。
【００３９】
式（I）で表される、本発明の遷移金属化合物は、次に示すようなスキームで作ることが可能である。
【００４０】
【化２１】
0003964948.tif 000012
【化２２】
0003964948.tif 000013
当該スキームにおいて、Ｌ、ｎ、Ｍ、Ｙ、ｒ、ｓ、ｔ、Ａ、Ｒ１、Ｘ、ｍおよびｑは、式（I）で定義されたとおりのものであり、ここで、Ｒは、炭素数１〜４０の基であり、例えば、炭素数１〜１０のアルキル基、炭素数６〜２０のアリール基あるいはトリ（炭素数１〜１０のアルキル）シリルであり、Ｈａｌは、ハロゲンであり、例えばフッ素や塩素である。式（II）の化合物は、巾広く、文献に記載されているものである。（Ｊ．オクダ、最近の化学のトピックス、Ｖｏｌ．１６０；スプリンガー  ベルラーグ、ベルリン、ハイデルベルグ、１９９１、ページ９７）
不活性溶液中での、式（II）の化合物と、アルキルリチウム化合物（例えば、ブチルリチウム／ＢｕＬｉ）およびアルキン化合物（例えば、２−ブチン、３−ヘキシン、ジフェニルアセチレン、トリメチルシリルフェニルアセチレン（１−トリメチルシリル−２−フェニルエチン）の反応により、塩を排除し、式（III）で表される、Ｍ−Ｙ結合が共有結合である、環形成（金属環状ペンタジエン）をする。
【００４１】
式（III）の化合物と、式［ＸｍＡｔＲ１ｑ］で表されるルイス酸との反応は、例えば、トルエン、ベンゼン、メチレンクロライド、四塩化炭素および石油系スピリットの有機溶剤中で行われる。この反応により、Ｍ−Ｙ結合が共有結合の、式（I）の遷移金属化合物が得られる。そして、式（I）の遷移金属化合物において、Ｙは、不飽和の炭化水素であり、例えばジエン単位であり、アセチルアセトネート等のキレート剤と反応して、Ｙが当該アセチルアセトネート等のキレート配位子で結ばれた、式（I）の遷移金属化合物を生成することとなる。
【００４２】
式（I）で表される、本発明の遷移金属化合物は、分離して、さらなる反応に直接使用することが可能である。また、式（I）で表される、本発明の遷移金属化合物は、中間体と、単一反応容器で、遷移金属のジハライド、ジアニオン化合物、ルイス酸から作られる最終製品を分離することなく、ポリマーの重合に直接使用することも可能である。
【００４３】
好適な溶剤としては、脂肪族や芳香族系溶剤であり、例えば、ヘキサン、トルエンであり、あるいはメチレンクロライド等のハロゲン化炭化水素やＯ−ジクロロベンゼン等のハロゲン化芳香族系炭化水素である。
【００４４】
本発明の遷移金属化合物は、また、別の方法によっても作ることができ、適当なルイス酸との反応の後に、ＬｎＭＲ４２（Ｒ４は、同一でも異なっていてもよく、ＣＯ、Ｈ、ＣＨ３等である）と相当するアルキンを反応させて、式（III）で表される、金属環状物を生成する工程を含んでもよい。
【００４５】
ナトリウムシクロペンタジエンと［ＸｍＡｔＲ１ｑ］を、不活性溶剤中で反応させ、それからＭＣｌ４を同様に反応させることにより、式（I）で表される、本発明の遷移金属化合物を作成してもよい。
【００４６】
本発明はまた、式（I）で表される遷移金属化合物を、少なくとも一つ以上含む触媒として使用することを特徴とする、一つ以上のオレフィンを重合するポリオレフィンの重合方法としても提供される。
【００４７】
好適なオレフィンとしては、Ｒａ−ＣＨ＝ＣＨＲｂであり、ここで、ＲａおよびＲｂは、同一または異なる場合もある、水素原子あるいは炭素数１〜２０の炭素含有基、より好適には、炭素数１〜１０の炭素含有基であり、あるいはＲａおよびＲｂは、いっしょに結合して一つ以上の環を形成することができるものである。
【００４８】
このようなオレフィンの具体例としては、炭素数２〜４０の１−オレフィンであって、より好適には、炭素数２〜１０のものであり、エチレン、プロピレン、１−ブテン、１−ペンテン、１−ヘキセン、４−メチル−１−ペンテン、１−オクテン、スチレン、ジエン系のものとして、１，３−ブタジエン、１，４−ヘキサジエン、ビニルノルボルネン、ノルボネジエンおよび環状オレフィン系のものとして、ノルボルネン、テトラシクロドデセン、メチルノルボルネンである。
【００４９】
本発明のプロセスによれば、より好適には、エチレンまたはプロピレンの単独重合、あるいはエチレンと、一つ以上の他の炭素数３〜２０の１−オレフィン、例えばプロピレンであり、および／または一つ以上の他の炭素数４〜２０のジエン系モノマーであり、例えば１，４−ブタジエンあるいはノルボルネンとの共重合である。このような、共重合体の例としては、エチレン−プロピレン共重合体、エチレン−プロピレン−１，４−ヘキサジエン共重合体である。
【００５０】
重合は、−６０〜２５０℃の温度で行うのが好ましいが、より好適には、５０〜２００℃の重合温度である。重合圧力は、好適には、０．５〜２０００ｂａｒであり、より好適には、５〜６４ｂａｒである。
【００５１】
重合は、溶液、バルク、サスペンジョンあるいは気相重合も好適であり、さらに連続重合、バッチ重合あねいは、重合を一つあるいは二つ以上の段階に分けるものであってもよい。
【００５２】
本発明のプロセスに使用される触媒は、好適には、式（I）からなる遷移金属化合物を少なくとも一つ以上含むものである。また、式（I）からなる遷移金属化合物の二つ以上の混合使用であってもよく、あるいは、式（I）からなる遷移金属化合物と、例えば、広いあるいは多段階の分子量分布を有するポリオレフィンの重合に使用される、メタロセン触媒あるいは伝統的なチーグラーナッタ触媒と組み合わせて使用することも可能である。
【００５３】
本発明の式（I）で表される遷移金属化合物を用いて、プレ重合することも好適である。プレ重合の好適な態様としては、前述した重合で使用される、一つまたはそれ以上のオレフィンを使用するものである。
【００５４】
本発明の式（I）で表される遷移金属化合物は、支持材を用いてもよい。支持材は、例えば、制御されるポリオレフィンの粒子モルフォルジーを考慮して定められる。適当な支持材としては、シリカゲル、酸化アルミニウム、固体アルミノオキサン、塩化マグネシウム等の無機材料からなる支持材である。さらに、別の適当な支持材としては、精密に分級したポリオレフィン粒子である。
【００５５】
支持材と組合わされた触媒は、さらに粉体に混合支持させてもよく、あるいはそのまま溶剤を含ませていてもよく、不活性のサスペンジョンの媒体にいれたまま計量し、重合に使用することも可能である。
【００５６】
触媒を添加する前に、特に、支持材と組合わされた触媒（式（I）で表される遷移金属化合物と支持材を含む構成）については、トリメチルアルミニウム、トリエチルアルミニウム、トリイソブチルアルミニウム、トリオクチルアルミニウム、イソプレニルアルミニウム等のアルミニウムアルキル化合物を用いて清浄化（例えば、オレフィン中に存在する触媒毒を除去する）しておくことが、重合を不活性にする点で有利である。
【００５７】
かかる清浄化は、重合系の中で行うこともできるし、重合系の中に触媒を添加する前に、オレフィンをアルミニウム化合物と接触させ、連続的に再び分離することにより行うことも可能である。そして、もしかかる清浄化を、重合系の中で行う場合には、アルミニウムアルキル化合物の濃度としては、反応重量物の１ｋｇあたり、Ａｌが１００〜０．０１ｍｍｏｌの濃度となるように添加することが好適である。例えば、トリイソブチルアルミニウムやトリエチルアルミニウムの場合、反応重量物の１ｋｇあたり、Ａｌが１０〜０．１ｍｍｏｌの濃度が好適である。
【００５８】
特に、式（I）で表される、本発明の遷移金属化合物は、さらなる重合触媒の使用は不必要であり、オレフィン重合の共触媒を必要とはしないものである。
【００５９】
分子量分布を制御する場合、あるいは触媒活性を高めるためには、必要に応じて、水素を添加することも好適である。また、重合の全圧力としては、０．５〜２５００ｂａｒが好適であり、より好適には、２〜１５００ｂａｒの範囲である。
【００６０】
ここで触媒の濃度としては、溶剤量ｄｍ３あるいは反応容器ｄｍ３あたり、遷移金属として、１０−３〜１０−８ｍｏｌの範囲が好適であり、より好適には、１０−４〜１０−７ｍｏｌの範囲である。
【００６１】
もし、重合が、サスペンジョンあるいは溶液重合が行われた場合、低圧のチーグラー重合に使用される市販の不活性溶剤が用いられることが好適である。例えば、脂肪族または脂環族の炭化水素であり、より具体的には、プロパン、ブタン、ヘキサン、ヘプタン、イソオクタン、シクロヘキサン、メチルシクロヘキサンである。また、石油系溶剤や水素化ディーゼルオイル留分も使用可能である。さらに、トルエンも使用可能であり、液状モノマーの状態で重合できれば、特に溶剤種は限定されるものではない。
【００６２】
そして、不活性溶剤が使用される場合には、モノマーは、ガス状あるいは液体状で計量されることとなる。
【００６３】
重合時間については、特に限定されるものではないが、なぜなら、本発明による触媒は、重合活性に関して、わずかな時間依存性しか示さないためである。
【００６４】
本発明によって作られたポリマーは、特に成型体に適しており、例えば、フィルム、シート、大きな中空体（チューブ類）である。
【００６５】
【発明の実施の形態】
以下に示す実施例は、本発明に基づくものである。
【００６６】
（一般的手続き）
有機金属化合物の作成および取扱にあたり、アルゴンを使用して、空気や湿度を除去した（シュレック技術）。また、すべての使用する溶剤を、適当な乾燥剤とともに使用前に数時間沸騰させ、それから、アルゴンでパージしながら連続的に蒸留した。
【００６７】
そして、作成された化合物を、１Ｈ−ＮＭＲ、１３Ｃ−ＮＭＲおよび赤外分光光度計により、同定した。
【００６８】
（実施例１）
以下に示す、［トリス（ペンタフルオロフェニル）（η５−シクロペンタジエニリデン）ボラート（η５−シクロペンタジエニル）（１、２、３−トリメチルペンタ−１、３−ジエニル）ジルコニウムを作成した。
【００６９】
【化２３】
0003964948.tif 000014
ａ）１−ビス（η５−シクロペンタジエン）ジルコナ−２、３、４、５−テトラメチルシクロペンタジエンの作成
４．５ｍｌ（７．１ｍｍｏｌ）の、１．６Ｍ濃度であるｎ−ブチルリチウムのヘキサン溶液を、−７８℃に冷却した、ＴＦＦ２０ｍｌに１ｇ（３．４０ｍｍｏｌ）の割合の二塩化ジルコノセン溶液に、滴下した。
【００７０】
それから混合物を、撹拌しながら、２４時間、−７８℃に冷却したまま放置し、ＴＦＦ１０ｍｌに０．５５ｇ（０．８ｍｌ、１０．２ｍｍｏｌ）の割合の２−ブチン溶液を、滴下した。そして、混合物を大変ゆっくり室温まで加温し、それから溶剤を、真空オイルポンプを用いて除去した。残留固形分を、３０ｍｌのペンタンで、二度抽出し、ペンタン相を複合して、真空オイルポンプを用いて蒸発させ、乾燥した。こうして、１．０９ｇ（９８％）の赤茶色の粉末が得られた。
【００７１】
ｂ）［トリス（ペンタフルオロフェニル）（η５−シクロペンタジエニリデン）ボラート（η５−シクロペンタジエニル）（１、２、３−トリメチルペンタ−１、３−ジエニル）ジルコニウムの作成
２ｍｍｏｌのビス（η５−シクロペンタジエニル）ジルコナ−２、３、４、５−テトラメチルシクロペンタジエンを、５０ｍｌのトルエンに溶解させ、２ｍｍｏｌのトリス（ペンタフルオロフェニル）ボランの、３５ｍｌのトルエン溶液を混合した。得られた茶色の溶液を、室温で８時間撹拌した。それから、溶剤を流した。残った茶色の残留物を、二度、２５ｍｌのペンタンで洗浄し、真空オイルポンプを用いて乾燥させた。そして、トルエン、メチレンクロライドおよびＴＨＦに易溶の、１．１２ｇの黄色の粉末が得られた。
【００７２】
（実施例２）
ジメチルシランジイル［トリス（ペンタフルオロフェニル）（２−メチル−４，５−ベンゾインデニリデン）ボラート（２−メチル−４，５−ベンゾインデニル）−１、２、３−トリメチルペンタ−１、３−ジエニルジルコニウムを作成した。
【００７３】
１．６Ｍ濃度の、ブチルリチウムのヘキサン溶液を４ｍｌ、−７８℃に冷却したＴＦＦ２０ｍｌに３ｍｍｏｌの割合のジメチルシランジイル（２−メチル−４，５−ベンゾインデニル）ジルコニウムの二塩化物溶液に、滴下した。
【００７４】
それから混合物を、撹拌しながら、２４時間、−７８℃に冷却したまま放置し、ＴＦＦ１０ｍｌに９ｍｍｏｌの割合の２−ブチン溶液を、滴下した。そして、混合物を大変ゆっくり室温まで加温し、それから溶剤を、真空オイルポンプを用いて除去した。残留固形分を、３０ｍｌのペンタンで、二度抽出し、ペンタン相を複合して、真空オイルポンプを用いて蒸発させ、乾燥した。そして、粉末状のジメチルシランジイルビス（２−メチル−４，５−ベンゾインデニル）ジルコナ−２、３、４、５−テトラメチルシクロペンタジエンが、９６％の収率で得られた。
【００７５】
２ｍｍｏｌの金属環状物を、５０ｍｌのトルエンに溶解させたものを、２ｍｍｏｌのトリス（ペンタフルオロフェニル）ボランの、３５ｍｌのトルエン溶液と混合した。得られた茶色の溶液を、室温で８時間撹拌した。それから、溶剤を流した。残った茶色の残留物を、ペンタンで洗浄し、真空オイルポンプを用いて乾燥させた。そして、ジメチルシランジイル［トリ（ペンタフルオロフェニル）（２−メチル−４，５−ベンゾインデニリデン）ボラート（２−メチル−４，５−ベンゾインデニル）−１、２、３−トリメチルペンタ−１、３−ジエニルジルコニウムが、７６％の収率で得られた。
【００７６】
（実施例３）
［トリス（ペンタフルオロフェニル）（η５−シクロペンタジエニリデン）ボラート（η５−シクロペンタジエニル）アセチルアセトネートジルコニウムを作成した。
【００７７】
２ｍｍｏｌの［トリス（ペンタフルオロフェニル）（η５−シクロペンタジエニリデン）ボラート（η５−シクロペンタジエニル）（１、２、３−トリメチルペンタ−１、３−ジエニル）ジルコニウムを、１００ｍｌのトルエンに溶解させ、それから、５０ｍｌのトルエンに、１０ｍｌのアセチルアセトネートを入れた溶液と混合し、室温で、１０時間撹拌した。
【００７８】
それから溶剤を、真空オイルポンプを用いて除去した後、わずかに茶色の残留固形分を、トルエンに可能な限り、再び溶解させた。同量のペンタンを添加した後、４℃の温度に、２日間放置し、沈殿させた。表面に浮いている溶剤を、傾けて除去し、残留している黄色粉末を、少量のペンタンで洗浄し、真空オイルポンプを用いて乾燥させた。こうして、［トリス（ペンタフルオロフェニル）（η５−シクロペンタジエニリデン）ボラート（η５−シクロペンタジエニル）アセチルアセトネートジルコニウムが、７６％の収率で得られた。
【００７９】
（実施例４）
［トリス（ペンタフルオロフェニル）（η５−シクロペンタジエニリデン）ボラート（η５−シクロペンタジエニル）メチルジルコニウムを作成した。
【００８０】
１．６ｍｌのＡｌＭｅ３（１６ｍｍｏｌ）を、０．５ｍｍｏｌの［トリス（ペンタフルオロフェニル）（η５−シクロペンタジエニリデン）ボラート（η５−シクロペンタジエニル）アセチルアセトネートジルコニウムの３５ｍｌトルエン溶液に、サイフォン添加した。
【００８１】
１０分後に、薄黄色の溶液が、オレンジ色に変化した。それから、当該混合物を、さらに２時間、室温で撹拌した後、１５ｍｌのジエチルエーテルを添加して、過剰のＡｌＭｅ３を不活性化した。それから、溶液を蒸発させ、乾燥し、得られた赤いオイル状物を、２０ｍｌのペンタンで、一度洗浄した。こうして、［トリス（ペンタフルオロフェニル）（η５−シクロペンタジエニリデン）ボラート（η５−シクロペンタジエニル）メチルジルコニウムが、８３％の収率で得られた。